(57)【要約】【課題】  複数の文書画像をそれぞれ関連付けた状態で、複数の文書画像のうち少なくとも１つの文書画像を視認性を低くして、隠し文書画像として表示することができる表示装置および表示方法を提供する。【解決手段】  第１表示領域４０に文書画像を表示した状態で、タッチパネル２に第２表示領域４１に文書画像を表示する指示を入力すると、ＣＰＵ１０は、第２表示領域４１に表示される文書画像の視認性が低下するように、変換手段１１に第２表示領域４１に表示する文書画像の文書データを変換させる。そして、ＣＰＵ１０は、変換された文書データに基づいて、第２表示領域４１に文書画像を表示させる。【選択図】      図１
2009036997.tif 000002
【特許請求の範囲】
【請求項１】
画像や文字などを含む文書画像を表示するための個別に編集可能な文書データであって、他の文書データと関連する関連データを含む複数の文書データを記憶する記憶手段と、
文書データに基づく文書画像を表示する第１表示領域と、第１表示領域に表示する文書画像の文書データが含む関連データに基づく文書画像を表示する第２表示領域とを有する表示手段と、
第１および第２表示領域に表示する文書画像に関する指示を入力する指示入力手段と、
第２表示領域に表示する文書画像の視認性が低下するように、第２表示領域に表示する文書画像の文書データを変換する変換手段と、
指示入力手段に第１表示領域に文書画像を表示する指示が入力されて第１表示領域に文書画像を表示した状態で、指示入力手段に第２表示領域に文書画像を表示する指示が入力されたことを検出すると、変換手段に第２表示領域に表示する文書画像の文書データを変換させて第２表示領域に文書画像を表示させる制御手段とを含んで構成されることを特徴とする表示装置。
【請求項２】
画像や文字などを含む文書画像を表示するための個別に編集可能な文書データであって、他の文書データと関連する関連データを含む複数の文書データを記憶する記憶手段と、
文書データに基づく文書画像を表示する第１表示領域と、第１表示領域に表示する文書画像の文書データが含む関連データに基づく文書画像を表示する第２表示領域とを有する表示手段と、
第１および第２表示領域に表示する文書画像に関する指示を入力する指示入力手段と、
第２表示領域に表示する文書画像の視認性が低下するように、第２表示領域に表示する文書画像の文書データを変換する変換手段と、
指示入力手段に第１表示領域に文書画像を表示する指示が入力されたことを検出すると、第１表示領域に文書画像を表示させるとともに、変換手段に第２表示領域に表示する文書画像の文書データを変換させて第２表示領域に文書画像を表示させる制御手段とを含んで構成されることを特徴とする表示装置。
【請求項３】
第１および第２表示領域は、表示手段に対して所望の大きさおよび位置になるように設定可能であることを特徴とする請求項１または２に記載の表示装置。
【請求項４】
予め定める記号が指示入力手段に入力されたことを検出すると、表示手段に文書画像を表示する、または、表示手段に表示された文書画像を消去する画像編集手段を有することを特徴とする請求項１〜３のいずれか１つに記載の表示装置。
【請求項５】
指示入力手段は、文書画像を表示する表示手段の表示面を覆うように、表示手段と一体的に形成されたタッチパネルであることを特徴とする請求項１〜４のいずれか１つに記載の表示装置。
【請求項６】
画像や文字などを含む文書データに基づく文書画像を表示する第１表示領域と、第１表示領域に表示する文書画像の文書データが含む関連データに基づく文書画像を表示する第２表示領域とを有する表示面に、文書画像を表示する表示方法であって、
第１表示領域に文書画像を表示する第１表示工程と、
第１表示工程で第１表示領域に表示した文書画像に基づいて、第２表示領域に表示する文書画像の視認性が低下するように、第２表示領域に表示する文書画像の文書データを変換する変換工程と、
変換工程で変換した文書データに基づいて、第２表示領域に文書画像を表示する第２表示工程とを含んで構成されることを特徴とする表示方法。
【請求項７】
画像や文字などを含む文書データに基づく文書画像を表示する第１表示領域と、第１表示領域に表示する文書画像の文書データが含む関連データに基づく文書画像を表示する第２表示領域とを有する表示面に、文書画像を表示する表示方法であって、
第１表示領域に文書画像を表示する指示を入力する指示入力工程と、
指示入力工程で指示を入力したとき、第２表示領域に表示する文書画像の視認性が低下するように、第２表示領域に表示する文書画像の文書データを変換する変換工程と、
指示入力工程で入力した指示に基づいて第１表示領域に文書画像を表示するとともに、変換工程で変換した文書データに基づいて第２表示領域に文書画像を表示する表示工程とを含んで構成されることを特徴とする表示方法。
【発明の詳細な説明】
【技術分野】
【０００１】
本発明は、画像や文字などを含む文書画像を表示する表示装置および表示方法に関する。
【背景技術】
【０００２】
特許文献１，２には、１つの表示面に、複数の画像データに基づいて複数の画像を表示する表示装置が提案されている。特許文献１によると、リモコン位置検出センサによって検出されたリモコンの位置に応じて対応する画像を認識し、リモコンからの対応する画像の遠隔操作に従い、１つの表示面に複数の画像を表示する。また、特許文献２によると、１つの表示面に複数の画像データに基づいて複数の画像を表示するとき、一方の画像に対応するアイコンと、他方の画像に対応するアイコンとが重畳しないように制御される。また、重畳するときに、一方あるいは互いのアイコンを移動させ、さらに重畳するときには、一方あるいは互いのアイコンの表示タイミングをずらす。
【０００３】
以上のように、特許文献１，２によると、複数の画像に対応した複数の画像データをそれぞれ区別して制御可能な状態で、１つの表示面に複数の画像を表示することができる。しかしながら、特許文献１，２には、複数の画像をそれぞれ関連付けて表示する技術に関しては、一切開示されていない。
【０００４】
【特許文献１】特開２００５−７３０７６号公報
【特許文献２】特開２００５−２８４５９２号公報
【発明の開示】
【発明が解決しようとする課題】
【０００５】
複数の画像や文書をそれぞれ関連付けて表示する表示装置として、たとえば、他の画像や文書へのハイパーリンクなどが埋め込まれた文書データに基づく文書画像を表示する表示装置が挙げられる。しかしながら、このような表示装置では、１つの表示面にそれぞれ関連付けられて表示される複数の文書画像は、それぞれが視認性がよく、複数の文書画像のうち少なくとも１つの文書画像を視認性を低くして表示することができない。そのため、たとえば、表示装置を用いてプレゼンテーションを行う場合、説明者は、聴衆者に閲覧させる文書画像とは別に、聴衆者には視認されずに説明者だけが視認できて活用できる隠し文書画像を表示させることができない。
【０００６】
したがって本発明の目的は、複数の文書画像をそれぞれ関連付けた状態で、複数の文書画像のうち少なくとも１つの文書画像を視認性を低くして、隠し文書画像として表示することができる表示装置および表示方法を提供することである。
【課題を解決するための手段】
【０００７】
本発明は、画像や文字などを含む文書画像を表示するための個別に編集可能な文書データであって、他の文書データと関連する関連データを含む複数の文書データを記憶する記憶手段と、
文書データに基づく文書画像を表示する第１表示領域と、第１表示領域に表示する文書画像の文書データが含む関連データに基づく文書画像を表示する第２表示領域とを有する表示手段と、
第１および第２表示領域に表示する文書画像に関する指示を入力する指示入力手段と、
第２表示領域に表示する文書画像の視認性が低下するように、第２表示領域に表示する文書画像の文書データを変換する変換手段と、
指示入力手段に第１表示領域に文書画像を表示する指示が入力されて第１表示領域に文書画像を表示した状態で、指示入力手段に第２表示領域に文書画像を表示する指示が入力されたことを検出すると、変換手段に第２表示領域に表示する文書画像の文書データを変換させて第２表示領域に文書画像を表示させる制御手段とを含んで構成されることを特徴とする表示装置である。
【０００８】
また本発明は、画像や文字などを含む文書画像を表示するための個別に編集可能な文書データであって、他の文書データと関連する関連データを含む複数の文書データを記憶する記憶手段と、
文書データに基づく文書画像を表示する第１表示領域と、第１表示領域に表示する文書画像の文書データが含む関連データに基づく文書画像を表示する第２表示領域とを有する表示手段と、
第１および第２表示領域に表示する文書画像に関する指示を入力する指示入力手段と、
第２表示領域に表示する文書画像の視認性が低下するように、第２表示領域に表示する文書画像の文書データを変換する変換手段と、
指示入力手段に第１表示領域に文書画像を表示する指示が入力されたことを検出すると、第１表示領域に文書画像を表示させるとともに、変換手段に第２表示領域に表示する文書画像の文書データを変換させて第２表示領域に文書画像を表示させる制御手段とを含んで構成されることを特徴とする表示装置である。
【０００９】
また本発明は、第１および第２表示領域は、表示手段に対して所望の大きさおよび位置になるように設定可能であることを特徴とする。
【００１０】
また本発明は、予め定める記号が指示入力手段に入力されたことを検出すると、表示手段に文書画像を表示する、または、表示手段に表示された文書画像を消去する画像編集手段を有することを特徴とする。
【００１１】
また本発明は、指示入力手段は、文書画像を表示する表示手段の表示面を覆うように、表示手段と一体的に形成されたタッチパネルであることを特徴とする。
【００１２】
また本発明は、画像や文字などを含む文書データに基づく文書画像を表示する第１表示領域と、第１表示領域に表示する文書画像の文書データが含む関連データに基づく文書画像を表示する第２表示領域とを有する表示面に、文書画像を表示する表示方法であって、
第１表示領域に文書画像を表示する第１表示工程と、
第１表示工程で第１表示領域に表示した文書画像に基づいて、第２表示領域に表示する文書画像の視認性が低下するように、第２表示領域に表示する文書画像の文書データを変換する変換工程と、
変換工程で変換した文書データに基づいて、第２表示領域に文書画像を表示する第２表示工程とを含んで構成されることを特徴とする表示方法である。
【００１３】
また本発明は、画像や文字などを含む文書データに基づく文書画像を表示する第１表示領域と、第１表示領域に表示する文書画像の文書データが含む関連データに基づく文書画像を表示する第２表示領域とを有する表示面に、文書画像を表示する表示方法であって、
第１表示領域に文書画像を表示する指示を入力する指示入力工程と、
指示入力工程で指示を入力したとき、第２表示領域に表示する文書画像の視認性が低下するように、第２表示領域に表示する文書画像の文書データを変換する変換工程と、
指示入力工程で入力した指示に基づいて第１表示領域に文書画像を表示するとともに、変換工程で変換した文書データに基づいて第２表示領域に文書画像を表示する表示工程とを含んで構成されることを特徴とする表示方法である。
【発明の効果】
【００１４】
本発明によれば、第１表示領域に文書画像を表示した状態で、指示入力手段に第２表示領域に文書画像を表示する指示を入力すると、制御手段は、第２表示領域に表示される文書画像の視認性が低下するように、変換手段に第２表示領域に表示する文書画像の文書データであって、第１表示領域に表示した文書画像の文書データが含む関連データに基づく文書データを変換させる。そして、制御手段は、変換された文書データに基づいて、第２表示領域に文書画像を表示させる。そのため、第１および第２表示領域に表示した文書画像をそれぞれ関連付けた状態で、第２表示領域に表示した文書画像の視認性を低くして、隠し文書画像として表示することができる。したがって、表示装置を用いてプレゼンテーションを行う場合、説明者は、第１表示領域に表示される文書画像を聴衆者に閲覧させながら、第１表示領域に表示される文書画像に関連し、聴衆者に対して視認性が低くなった、第２表示領域に表示される文書画像を活用してプレゼンテーションを行うことができる。
【００１５】
また本発明によれば、指示入力手段に第１表示領域に文書画像を表示する指示を入力すると、制御手段は、第１表示領域に文書画像を表示させるとともに、第２表示領域に表示される文書画像の視認性が低下するように、変換手段に第２表示領域に表示する文書画像の文書データを変換させて、第２表示領域に文書画像を表示させる。そのため、第１表示領域に文書画像を表示すると同時に、視認性が低い隠し文書画像を第２表示領域に表示することができる。また、指示入力手段に１つの指示を入力することによって、第１および第２表示領域に文書画像を表示することができるので、操作を簡単化することができる。
【００１６】
また本発明によれば、第１および第２表示領域は、表示手段に対して所望の大きさおよび位置になるように設定可能である。そのため、表示装置を用いてプレゼンテーションを行う場合、説明者は、表示手段に表示する文書画像を、活用しやすい大きさおよび位置に設定することができる。
【００１７】
また本発明によれば、画像編集手段は、予め定める記号が指示入力手段に入力されたことを検出すると、表示手段に文書画像を表示する、または、表示手段に表示された文書画像を消去する。そのため、指示入力手段に記号を入力するだけで、必要な文書画像を表示することができ、または、不必要になった文書画像を消去することができる。
【００１８】
また本発明によれば、指示入力手段は、文書画像が表示される表示手段の表示面を覆うように、表示手段と一体的に形成されたタッチパネルである。そのため、表示面に表示される文書画像を見ながら、指示を入力することができる。
【００１９】
また本発明によれば、第１表示工程では、第１表示領域に文書画像を表示する。次に、変換工程では、第２表示領域に表示する文書画像の視認性が低下するように、第１表示領域に表示した文書画像の文書データが含む関連データに基づく文書データを変換する。そして、第２表示工程では、変換工程で変換した文書データに基づいて、第２表示領域に文書画像を表示するので、第１および第２表示領域に表示した文書画像をそれぞれ関連付けた状態で、第２表示領域に表示した文書画像の視認性を低くして、隠し文書画像として表示することができる。
【００２０】
また本発明によれば、指示入力工程では、第１表示領域に文書画像を表示する指示を入力する。次に、変換工程では、第２表示領域に表示する文書画像の視認性が低下するように、第１表示領域に表示する文書画像の文書データが含む関連データに基づく文書データを変換する。そして、表示工程では、指示入力工程で入力した指示に基づいて第１表示領域に文書画像を表示するとともに、変換工程で変換した文書データに基づいて第２表示領域に文書画像を表示する。そのため、第１表示領域に文書画像を表示すると同時に、視認性が低い隠し文書画像を第２表示領域に表示することができる。
【発明を実施するための最良の形態】
【００２１】
図１は、表示装置１００の構成を示す斜視図である。また図２は、タッチパネル２の構成を示す図である。表示装置１００は、Ｍｉｃｒｏｓｏｆｔ社のＯＳ（Operating 
System）である「Ｗｉｎｄｏｗｓ（登録商標）」などのパーソナルコンピュータ用ＯＳが備える基本性能であるウィンドウ表示機能を用いて、アプリケーションプログラムを実行したときに、ウィンドウ画面に画像や文字などを含む文書画像を表示する装置である。画像を表示する表示装置としては、液晶ディスプレイ（Liquid Crystal Display、略称ＬＣＤ）、プラズマディスプレイ（Plasma Display Panel、略称ＰＤＰ）、表面電子放出型フィールドエミッションディスプレイ（Surface conduction Electron emitter Display、略称ＳＥＤ）などのフラットパネルディスプレイ（Flat Panel Display、略称ＦＰＤ）を挙げることができる。本発明の実施の一形態である表示装置１００は、ＬＣＤである。
【００２２】
表示装置１００は、液晶パネル１と、タッチパネル２と、表示画像制御部（不図示）とを含んで構成される。液晶パネル１は、矩形板状に形成され、薄膜トランジスタ回路とカラーフィルターとを形成したガラス基板の間に液晶材料が封入される液晶セルであり、画像を表示する表示面を有する表示手段である。液晶パネル１の表示面は、後述する記憶手段に記憶される文書データに基づく文書画像を表示する第１表示領域４０と、第１表示領域４０に表示する文書画像の文書データが含む関連データに基づく文書画像を表示する第２表示領域４１とを有する。
【００２３】
後述する記憶手段に記憶される、関連データによって互いに関連すると示された文書データは、液晶パネル１を区分する第１表示領域４０および第２表示領域４１にそれぞれ表示される。このような表示は、文書データとして特にＨＴＭＬ（Hyper Text Markup
Language）言語で記述された文書データを取り扱う場合に好適に実施される。ＨＴＭＬ言語では、フレーム機能によって複数の文書データを、１つの表示面内に表示するように指定することが可能である。本実施の形態では、フレーム機能を実行して、液晶パネル１を第１および第２表示領域４０，４１に分割し、複数の文書データに基づくレイアウト結果を、液晶パネル１に表示する。このようにフレーム機能を実行して分割される第１および第２表示領域４０，４１は、所望の大きさおよび位置になるように設定可能である。そのため、表示装置１００を用いてプレゼンテーションを行う場合、説明者は、液晶パネル１に表示する文書画像を、活用しやすい大きさおよび位置に設定することができる。また、本実施の形態では、フレーム機能を実行して分割される、第１および第２表示領域４０，４１をそれぞれ仕切るフレーム枠は、表示しないように設定するのが好ましい。
【００２４】
また、ＨＴＭＬ言語では、文書データの中に、他の文書データと関連する関連データであるハイパーリンクを埋め込むことができる。このハイパーリンクを実行することによって、第１および第２表示領域４０，４１に表示される文書画像を、それぞれ関連付けることができる。ハイパーリンクを用いて関連付けられた文書画像においては、リンクのある画像や文字を指定することで、関連する文書画像を表示することができる。
【００２５】
液晶パネル１は、縁辺を覆うように枠状部材で補強されており、その枠状部材に台座３が接続されて液晶パネル１を支持し、床面に配置できるようになっている。台座３は、基台３ａと２つの脚部３ｂとを含んで構成され、脚部３ｂが液晶パネル１の縁辺を覆う枠状部材に接続されて鉛直方向下方に延びて基台３ａと接続し、基台３ａが床面と接触するように形成される。また、基台３ａは移動用車輪６を備えて、表示装置１００の移動が容易に行えるようになっている。
【００２６】
また、表示装置１００は、周辺機器であるスキャナ４とプリンタ５とを備え、スキャナ４は２つの脚部３ｂの間に設置され、プリンタ５は基台３ａの上面に設置される。スキャナ４は、挿入開口部４ａから原稿が挿入され、排出開口部４ｂから原稿が排出される動作中に原稿上の画像を読み取る装置である。プリンタ５は、液晶パネル１に表示される画像などを印刷する装置である。また、表示装置１００は、タッチパネル２に指示を入力する操作部材であるタッチペン（不図示）とマウス（不図示）とを備える。
【００２７】
タッチパネル２は、液晶パネル１に表示する文書画像に関する指示を入力する指示入力手段であり、タッチパネル２上で、操作部材であるタッチペンの先端で押圧操作あるいは筆記操作することによって、指示を入力する。タッチパネル２は、矩形板状に形成されたガラス等から成る透明な透過部材２３を含んで構成され、液晶パネル１の表示面を覆うように一体的に形成される。そのため、液晶パネル１に表示される文書画像を見ながら、指示を入力することができる。
【００２８】
タッチパネル２が有する透過部材２３の表面には、図２に示すように、透過部材２３の４辺の内方周囲に、タッチペンによる押圧位置を検出するためのＬＥＤ（Light Emitting
Diode）アレイ２０とフォトトランジスタアレイ２１とが設けられている。ＬＥＤアレイ２０は、透過部材２３の長辺の一方に対応したＸ方向ＬＥＤアレイ２０ａと、透過部材２３の短辺の一方に対応したＹ方向ＬＥＤアレイ２０ｂとを含む。また、フォトトランジスタアレイ２１は、透過部材２３の長辺の他方に対応したＸ方向フォトトランジスタアレイ２１ａと、透過部材２３の短辺の他方に対応したＹ方向フォトトランジスタアレイ２１ｂとを含む。また、隣接するＬＥＤアレイ同士あるいはフォトトランジスタアレイ同士の間隔は、０．５ｍｍに設定されている。
【００２９】
次に、タッチパネル２にタッチペンを用いて押圧操作あるいは筆記操作して指示を入力したときの、タッチパネル２上での文字表示方法について説明する。タッチペンの先端が透過部材２３の表面に触れると、触れた位置を通過するＬＥＤアレイ２０から発せられる光がタッチペンによって遮蔽され、ＬＥＤアレイ２０と対向する位置に配置されるフォトトランジスタアレイ２１に到達しなくなる。ＬＥＤアレイ２０が発する光が到達しなかったフォトトランジスタアレイ２１が配置される座標を、指定された座標として認識して、その座標情報を情報処理手段（不図示）に出力する。情報処理手段は、検出した座標の位置に所定のオブジェクトを表示する。オブジェクトとは、たとえば点画像である。タッチペンで透過部材２３の表面をなぞることによって、点画像のオブジェクトを連続的に表示することができ、所望する図形や文字を描くことができる。その他のオブジェクトとしては、直線、円形、三角形、四角形などの予め定められる定形図形であってもよい。
【００３０】
図３は、表示装置１００の電気的構成を示すブロック図である。表示装置１００は、前述した液晶パネル１、タッチパネル２以外に表示画像制御部１９を備える。表示画像制御部１９は、タッチパネル２に入力された指示に基づいて、液晶パネル１に文書画像を表示する。表示画像制御部１９は、変換手段１１と、画像編集手段１２と、判別手段１３と、ＬＣＤコントローラ１４と、記憶手段であるメモリ１５およびＨＤＤ（Hard Disk Drive
）１６とを含み、各手段は演算回路を有するＣＰＵ（Central Processing Unit）１０によって統括的に制御される。
【００３１】
ＨＤＤ１６には、画像や文字などを含む文書画像を表示するための個別に編集可能な文書データであって、他の文書データと関連する関連データを含む複数の文書データが記憶されている。関連データは、同時に液晶パネル１に表示する必要があるかどうかを示すデータである。メモリ１５には、ＨＤＤ１６に記憶される各文書データに対応してそれぞれ個別に関連付けられた文書データ特定記号、液晶パネル１に表示された文書画像を消去する記号である画像消去記号などの、予め定める記号の形状データが記憶されている。文書データ特定記号および画像消去記号としては、他の記号と誤認識しないような記号であれば特に限定されず、たとえば、「×」、「○」、「△」、「□」、「−」などの定形図形を挙げることができる。
【００３２】
ＣＰＵ１０は、タッチパネル２に特定図形が入力されることや、メニューから指示入力モードへの切替えを示すタグが選択されることなどによって、指示入力モードへの移行が指示されたと判断する。このように指示入力モードに移行した状態で、ＣＰＵ１０は、タッチパネル２に入力された指示に関する指示信号を受信し、その指示信号を判別手段１３に送信する。判別手段１３は、ＣＰＵ１０から送信された指示信号からタッチパネル２に入力された指示を検出し、その検出結果に基づいて、メモリ１５に記憶される予め定める形状データと比較して指示内容を判別し、判別結果をＣＰＵ１０に送信する。
【００３３】
変換手段１１は、判別手段１３が判別した判別結果に基づいて、ＣＰＵ１０から文書データを変換する指令が与えられることで、たとえば、予めメモリ１５に記憶された背景色および文字色から、第１表示領域４０に表示される文書画像の背景色と同一の背景色を選択し、かつ第１表示領域４０に表示される文書画像の背景色と同一ではなく最も近似する文字色を選択し、第２表示領域４１に表示する文書画像の文書データのうち、背景色および文字色に関するデータを変換する。ここで、背景色と同一ではなく最も近似する文字色を選択するときの色組合せとしては、たとえば、白色と黄色や、青色と青系淡色のような淡色との組合せなどの色組合せを挙げることができる。また、以上のようにして、変換手段１１が文書画像の背景色および文字色を変換するので、第２表示領域４１に表示される文書画像の視認性が低下するように、第２表示領域４１に表示する文書画像の文書データを変換することができる。
【００３４】
このように文書画像の背景色および文字色を変換すること以外に、第２表示領域４１に表示する文書画像の表示サイズを小さくすることによって、第２表示領域４１に表示される文書画像の視認性を低下させることもできる。ここで、背景色および文字色を変換する手法と、文書画像の表示サイズを小さくする手法とを組み合わせて、第２表示領域４１に表示される文書画像の視認性を低下させてもよい。また、変換手段１１は、変換結果をＣＰＵ１０に送信する。
【００３５】
画像編集手段１２は、判別手段１３が判別した判別結果に基づいて、ＣＰＵ１０から文書画像を編集する指令が与えられることで、液晶パネル１に表示される文書画像を編集する。画像編集手段１２は、たとえば、第１および第２表示領域４０，４１のうち、タッチパネル２に入力された文書データ特定記号の位置に相当する表示領域に、文書データ特定記号で特定される文書画像を表示する。また、画像編集手段１２は、液晶パネル１に表示される文書画像のうち、タッチパネル２に入力された画像消去記号の位置に相当する文書画像を消去する。
【００３６】
ＣＰＵ１０は、判別手段１３から送信された判別結果のうち文書データ特定に関する情報と、変換手段１１から送信された変換結果とに関する信号をＬＣＤコントローラ１４に送信する。ＬＣＤコントローラ１４は、ＣＰＵ１０から送信された文書データ特定に関する情報と変換結果とに関する信号を液晶パネル１に供給し、液晶パネル１に画像を表示させる。以上のようにして、表示画像制御部１９は、タッチパネル２に入力された指示に基づいて、それぞれ関連付けられた文書画像を、液晶パネル１上の第１および第２表示領域４０，４１に表示させる。このとき、第２表示領域４１に表示される文書画像は、視認性が低下するように調整されている。
【００３７】
また、ＣＰＵ１０には、スキャナ４、プリンタ５、表示角度変更手段１７および撮影手段１８が接続されている。スキャナ４は、ＣＰＵ１０から画像読み取り指令が与えられることで、原稿上の画像を読み取る。プリンタ５は、ＣＰＵ１０から印刷する指令が与えられることで、液晶パネル１に表示される画像を印刷する。表示角度変更手段１７は、液晶パネル１の表示面の向きを変更する手段であり、ＣＰＵ１０から角度変更指令が与えられることで、表示面の向きを変更する。撮影手段１８は、たとえば、デジタルビデオカメラなどの動画および静止画を撮影する機能をもつ手段であり、ＣＰＵ１０から撮影指令が与えられることで、動画および静止画を撮影する。
【００３８】
図４は、表示装置１００と説明者３０との位置関係を示す図である。表示装置１００は、プレゼンテーションを行うときに、好適に使用できる装置である。表示装置１００を用いてプレゼンテーションを行う場合、第１表示領域４０に表示される文書画像は、聴衆者が閲覧するための文書画像であり、第２表示領域４１に表示される文書画像は、説明者３０が第１表示領域４０に表示される文書画像に沿って説明するときに、活用する文書画像である。ここで、説明者が活用する文書画像とは、説明者が説明するべき内容のキーワード、説明者が説明する文章などである。説明者３０は、図４に示すように、表示装置１００の表示面の近傍に立ち、自分の立ち位置側に第２表示領域４１が配置されるように設定するのが好ましい。説明者３０は、表示装置１００の表示面の近傍に立ってプレゼンテーションを行うので、変換手段１１によって視認性が低下されても第２表示領域４１に表示される文書画像を視認することができ、そのため、第２表示領域４１に表示される文書画像を活用して、スムーズにプレゼンテーションを行うことができる。このとき、第２表示領域４１に表示される文書画像は、聴衆者には、極めて視認しにくい。
【００３９】
図５は、液晶パネル１に表示される文書画像の一例を示す図である。また、図６は、第１および第２表示領域４０，４１に表示される文書画像の一例を示す図である。図５，６に示す文書画像の一例では、液晶パネル１の第１表示領域４０には、聴衆者に説明すべき文書画像が表示され、液晶パネル１の第２表示領域４１には、説明者がプレゼンテーションを行うときに活用することができる、説明すべき内容のキーワードが表示されている。液晶パネル１上の第１および第２表示領域４０，４１には、前述したように、ＨＤＤ１６に記憶される関連データを含む文書データに基づく文書画像が表示され、第１および第２表示領域４０，４１に表示される文書画像は、それぞれ関連付けられている。また、第２表示領域４１は、図５（ａ）に示すように、前述したフレーム機能を実行して、複数の表示領域４１ａ，４１ｂ，４１ｃ，４１ｄ，４１ｅが配置されるように構成してもよいし、図５（ｂ）に示すように、１つの表示領域４１ｆが配置されるように構成してもよい。
【００４０】
図７は、第２表示領域４１に表示される文書画像を消去する方法を説明する図である。第１および第２表示領域４０，４１に、それぞれ関連付けられた文書画像が表示された状態で、第２表示領域４１に配置される複数の表示領域４１ａ，４１ｂ，４１ｃ，４１ｄのうち、表示領域４１ｄに表示される文書画像を消去する場合、まず、タッチパネル２上の表示領域４１ｄに相当する位置に、「×」、「−」などの画像消去記号４２をタッチペンで手書き入力する。手書き入力が完了すると、タッチパネル２上に配置される指示を確定するボタンである確定ボタン（不図示）をタッチペンで押圧する。これによって、指示信号がタッチパネル２からＣＰＵ１０に送信され、ＣＰＵ１０は、タッチパネル２から受信した指示信号を判別手段１３に送信する。
【００４１】
次に、判別手段１３は、ＣＰＵ１０から送信された指示信号を検出し、メモリ１５に記憶される形状データと比較して指示内容を判別する。判別手段１３は、指示内容が文書画像を消去する指示であることを判別すると、その判別結果をＣＰＵ１０に送信する。次に、画像編集手段１２は、判別手段１３が判別した判別結果に基づいて、ＣＰＵ１０から画像消去指令が与えられることで、タッチパネル２に入力された画像消去記号４２の位置に相当する表示領域４１ｄに表示される文書画像を消去する。このようにして、不必要になった文書画像を消去することができる。
【００４２】
図８は、本発明の第１の実施形態における表示方法を説明する図である。また、図９は、本発明の第１の実施形態における表示方法を示すフローチャートである。第１の実施形態における表示方法は、第１表示領域４０に文書画像を表示した後、第２表示領域４１に文書画像を表示するときに、視認性が低くなるように文書画像を表示する方法である。ＨＤＤ１６には、個別に編集されたＨＴＭＬ言語で記述された文書データであって、他の文書データと関連する関連データであるハイパーリンクを含む複数の文書データが記憶されている。メモリ１５には、ＨＤＤ１６に記憶される各文書データに対応して、それぞれ個別に関連付けられた文書データ特定記号の形状データが記憶されている。また、メモリ１５には、文書画像の背景色および文字色が記憶されている。
【００４３】
まず、ステップｓ１では、タッチパネル２に文書データ特定記号をタッチペンで手書きして、第１表示領域４０に文書画像を表示する指示を入力する。手書き入力が完了すると、タッチパネル２上に配置される指示を確定するボタンである確定ボタン（不図示）をタッチペンで押圧する。これによって、指示信号がタッチパネル２からＣＰＵ１０に送信され、ＣＰＵ１０は、タッチパネル２から受信した指示信号を判別手段１３に送信する。このとき、タッチパネル２に文書データ特定記号を手書き入力する以外に、予めデスクトップ上に配置された文書データを示すアイコンをマウスでクリックすることや、キーボードによるキー操作で、第１表示領域４０に文書画像を表示する指示をすることもできる。
【００４４】
次に、ステップｓ２では、判別手段１３は、ＣＰＵ１０から送信された指示信号を検出し、メモリ１５に記憶される形状データと比較して指示内容を判別する。判別手段１３は、指示内容が文書画像を表示する指示であることを判別すると、その判別結果をＣＰＵ１０に送信して、ステップｓ３に進む。また、判別手段１３が指示内容を判別できない場合には、「再入力して下さい」などの指示の再入力を促すガイダンスウィンドウを表示する。このようなガイダンスウィンドウが表示されたときは、ステップｓ１を繰返す。
【００４５】
次に、ステップｓ３では、図８（ａ）に示すように、画像編集手段１２は、判別手段１３が判別した判別結果に基づいて、ＣＰＵ１０から文書画像表示指令が与えられることで、第１表示領域４０に文書画像を表示する。このとき、フレーム機能が実行されて、予め定めた大きさおよび位置に、第１および第２表示領域４０，４１が分割される。また、第１表示領域４０に表示された文書画像には、第２表示領域４１に表示すべき文書画像に対するリンクのある文字４２が配置される。
【００４６】
次に、ステップｓ４では、リンクのある文字４２が配置される位置に相当するタッチパネル２上の箇所を、タッチペンで押圧して、第２表示領域４１に文書画像を表示する指示を入力する。入力が完了すると、タッチパネル２上の確定ボタンをタッチペンで押圧する。これによって、指示信号がタッチパネル２からＣＰＵ１０に送信され、ＣＰＵ１０は、タッチパネル２から受信した指示信号に基づいて、変換手段１１に文書データを変換する指令を与える。このとき、タッチパネル２に指示を入力する以外に、リンクのある文字４２をマウスでクリックすることや、キーボードによるキー操作で、第２表示領域４１に文書画像を表示する指示をすることもできる。
【００４７】
次に、ステップｓ５では、変換手段１１は、ＣＰＵ１０から文書データを変換する指令が与えられることで、メモリ１５に記憶された背景色および文字色から、第１表示領域４０に表示された文書画像の背景色と同一の背景色を選択し、かつ第１表示領域４０に表示された文書画像の背景色と同一ではなく最も近似する文字色を選択し、第２表示領域４１に表示する文書画像の文書データのうち、背景色および文字色に関するデータを変換する。その後、変換手段１１は、変換結果をＣＰＵ１０に送信する。
【００４８】
次に、ステップｓ６では、ＬＣＤコントローラ１４は、ＣＰＵ１０から送信された変換結果を液晶パネル１に供給し、第２表示領域４１に文書画像を表示させる。このとき、第２表示領域４１には、図８（ｂ）に示すように、リンクのある文字４２に関連付けられた表示領域４１ａ，４１ｂ，４１ｃ，４１ｄ，４１ｅの文書画像が表示される。以上のようにして、タッチパネル２に入力された指示に基づいて、それぞれ関連付けられた文書画像を、第１および第２表示領域４０，４１に表示することができる。このとき、第２表示領域４１に表示される文書画像は、視認性が低下するように調整されている。
【００４９】
また、ステップｓ１〜ｓ６までの操作を繰返すことによって、第１および第２表示領域４０，４１に表示された文書画像を切替えることができる。たとえば、ステップｓ６において表示領域４１ｅに表示した文書画像は、切替えた後に第１表示領域４０に表示すべき文書画像に対するリンクのある文字である。このリンクのある文字が配置される、表示領域４１ｅに相当するタッチパネル２上の箇所をタッチペンで押圧することによって、図８（ｃ），（ｄ）に示すように、文書画像を切替えて表示することができる。
【００５０】
図１０は、本発明の第２の実施形態における表示方法を示すフローチャートである。第２の実施形態における表示方法は、第１表示領域４０に文書画像を表示するのに連動して、視認性が低くなるように変換された文書データに基づく文書画像を第２表示領域４１に表示する方法である。ＨＤＤ１６には、個別に編集されたＨＴＭＬ言語で記述された文書データであって、他の文書データと関連する関連データであるハイパーリンクを含む複数の文書データが記憶されている。メモリ１５には、ＨＤＤ１６に記憶される各文書データに対応して、それぞれ個別に関連付けられた文書データ特定記号の形状データが記憶されている。また、メモリ１５には、文書画像の背景色および文字色が記憶されている。
【００５１】
まず、ステップａ１では、タッチパネル２に文書データ特定記号をタッチペンで手書きして、第１表示領域４０に文書画像を表示する指示を入力する。手書き入力が完了すると、タッチパネル２上の確定ボタンをタッチペンで押圧する。これによって、指示信号がタッチパネル２からＣＰＵ１０に送信され、ＣＰＵ１０は、タッチパネル２から受信した指示信号を判別手段１３に送信する。このとき、タッチパネル２に文書データ特定記号を手書き入力する以外に、予めデスクトップ上に配置された文書データを示すアイコンをマウスでクリックすることや、キーボードによるキー操作で、第１表示領域４０に文書画像を表示する指示をすることもできる。
【００５２】
次に、ステップａ２では、判別手段１３は、ＣＰＵ１０から送信された指示信号を検出し、メモリ１５に記憶される形状データと比較して指示内容を判別する。判別手段１３は、指示内容が文書画像を表示する指示であることを判別すると、第１表示領域４０に表示すべき文書データを特定する情報を含んだ判別結果をＣＰＵ１０に送信して、ステップａ３に進む。また、判別手段１３が指示内容を判別できない場合には、「再入力して下さい」などの指示の再入力を促すガイダンスウィンドウを表示する。このようなガイダンスウィンドウが表示されたときは、ステップａ１を繰返す。
【００５３】
次に、ステップａ３では、ＣＰＵ１０は、判別手段１３から送信された判別結果に基づいて、第１表示領域４０に表示すべき文書データに関連付けられた文書データであり、第２表示領域４１に表示すべき文書データを変換する指令を、変換手段１１に与える。変換手段１１は、ＣＰＵ１０から文書データを変換する指令が与えられることで、メモリ１５に記憶された背景色および文字色から、第１表示領域４０に表示すべき文書画像の背景色と同一の背景色を選択し、かつ第１表示領域４０に表示すべき文書画像の背景色と同一ではなく最も近似する文字色を選択し、第２表示領域４１に表示する文書画像の文書データのうち、背景色および文字色に関するデータを変換する。その後、変換手段１１は、変換結果をＣＰＵ１０に送信する。
【００５４】
次に、ステップａ４では、ＣＰＵ１０は、判別手段１３から送信された判別結果のうち文書データ特定に関する情報と、変換手段１１から送信された変換結果とに関する信号を、ＬＣＤコントローラ１４に送信する。ＬＣＤコントローラ１４は、ＣＰＵ１０から送信された文書データ特定に関する情報と変換結果とに関する信号を液晶パネル１に供給し、第１および第２表示領域４０，４１に、それぞれ文書画像を表示させる。このようにして、第１表示領域４０に文書画像を表示すると同時に、視認性が低い隠し文書画像を第２表示領域４１に表示することができる。また、タッチパネル２に１つの指示を入力することによって、第１および第２表示領域４０，４１にそれぞれ関連付けられた文書画像を表示するので、操作を簡単化することができる。また、ステップａ１〜ａ４までの操作を繰返すことによって、第１および第２表示領域４０，４１に表示された文書画像を切替えることができる。
【図面の簡単な説明】
【００５５】
【図１】本発明の実施の一形態である表示装置１００の構成を示す斜視図である。
【図２】タッチパネル２の構成を示す図である。
【図３】表示装置１００の電気的構成を示すブロック図である。
【図４】表示装置１００と説明者３０との位置関係を示す図である。
【図５】液晶パネル１に表示される文書画像の一例を示す図である。
【図６】第１および第２表示領域４０，４１に表示される文書画像の一例を示す図である。
【図７】第２表示領域４１に表示される文書画像を消去する方法を説明する図である。
【図８】本発明の第１の実施形態における表示方法を説明する図である。
【図９】本発明の第１の実施形態における表示方法を示すフローチャートである。
【図１０】本発明の第２の実施形態における表示方法を示すフローチャートである。
【符号の説明】
【００５６】
１  表示パネル
２  タッチパネル
１０  ＣＰＵ
１１  変換手段
１２  画像編集手段
１３  判別手段
１４  ＬＣＤコントローラ
１５  メモリ
１６  ＨＤＤ
２０  ＬＥＤアレイ
２１  フォトトランジスタアレイ
１００  表示装置
【図１】
2009036997.tif 000003
【図２】
2009036997.tif 000004
【図３】
2009036997.tif 000005
【図４】
2009036997.tif 000006
【図５】
2009036997.tif 000007
【図６】
2009036997.tif 000008
【図７】
2009036997.tif 000009
【図８】
2009036997.tif 000010
【図９】
2009036997.tif 000011
【図１０】
2009036997.tif 000012